(57)【要約】【課題】比較的少ない水の使用により空気中に飛散した小麦粉などの塵埃を効果的に除去する。塵埃捕捉用フィルタ９ａの洗浄が効果的に行われるものとするほか、ケーシング１内での塵埃の腐敗を阻止する。【解決手段】塵埃捕集用フィルタ９ａに塵埃捕集用の霧状の水ｗ２を噴射するノズル８を設けた湿式集塵機において、塵埃捕集用フィルタ９ａを洗浄するためタンク１６内に予め溜めた洗浄水ｗを重力作用により比較的大きな流量で流下させて塵埃捕集用フィルタ９ａへ供給するものとした洗浄水供給手段１５とを備えたものとする。塵埃捕集用フィルタ９ａと水滴飛散防止用フィルタ９ｂとが同一材料で一体状に結合されていて筒状体となる構成とする。空気浄化処理中に、ケーシング１の水溜まり部ｊ１に流下した水ｗを外方へ連続的に流出させるための排水管６を形成する。【選択図】図３
2008119583.tif 000002
【特許請求の範囲】
【請求項１】
内方を密閉状の空気通路となされたケーシングを備え、該ケーシング内に塵埃捕集用フィルタと、該塵埃捕集用フィルタに霧状の水を噴射するノズルとを設けた湿式集塵機において、前記塵埃捕集用フィルタが縦向きの筒状体となされていることを特徴とする湿式集塵機。
【請求項２】
内方を密閉状の空気通路となされたケーシングを備え、該ケーシング内に塵埃捕集用フィルタと、この塵埃捕集用フィルタの下流に位置された水滴などの水滴飛散防止用フィルタと、前記塵埃捕集用フィルタに霧状の水を噴射するノズルとを設けた湿式集塵機において、前記塵埃捕集用フィルタと前記水滴飛散防止用フィルタとが同一材料で一体状に結合され且つ縦向きの筒状体となされていることを特徴とする湿式集塵機。
【請求項３】
前記塵埃捕集用フィルタに霧状の水を噴射するための複数のノズルを前記塵埃捕集用フィルタに対し略同心の環状に配置したことを特徴とする請求項１又は２記載の湿式集塵機。
【請求項４】
前記塵埃捕集用フィルタ及びそれより上流側にある前記ケーシング内に備えてある部品が取外し可能であることを特徴とする請求項１、２又は３記載の湿式集塵機。
【請求項５】
内方を密閉状の空気通路となされたケーシングを備え、該ケーシング内の特定高位置に、霧状の水を噴射される塵埃捕集用フィルタが設けられている湿式集塵機において、前記塵埃捕集用フィルタを洗浄するための洗浄水供給手段を設け、該洗浄水供給手段は洗浄水を溜めるためのタンクと、該タンク内の洗浄水を任意時に前記塵埃捕集用フィルタに向け比較的大きな流量で重力作用により流下させることを可能とした開閉機構付水路とを備えていることを特徴とする湿式集塵機。
【請求項６】
内方を密閉状の空気通路となされ該空気通路の途中に塵埃捕集用フィルタの設けられたケーシングを備え、該ケーシングの内方最下部に水溜まり部を形成された湿式集塵機において、前記水溜まり部に流下した水を外方へ流出させるための排水管を形成すると共に該排水管の長さ途中箇所を上下変位可能となしてあり、前記長さ途中箇所が上方へ変位されたときには前記排水管は前記水溜まり部の特定高さまで水が滞留した状態を維持して排水し、一方、前記長さ途中箇所が下方へ変位されたときには前記排水管は前記水溜まり部に水が滞留しない状態で排水することを特徴とする湿式集塵機。
【請求項７】
前記塵埃捕集用フィルタを洗浄するために、タンク内に予め溜めた洗浄水を重力作用により比較的大きな流量で流下させて前記塵埃捕集用フィルタへ供給するものとした洗浄水供給手段を形成し、該洗浄水供給手段の開閉機構付水路の開閉作動と前記排水管の長さ途中箇所の上下変位とが連動されることを特徴とする請求項６記載の湿式集塵機。
【請求項８】
タンク内の洗浄水を加温するためのヒータを設けたことを特徴とする請求項５又は７記載の湿式集塵機。
【発明の詳細な説明】
【技術分野】
【０００１】
本発明は、塵埃捕集フィルタと水などを使用して空気中の塵埃を除去し空気を浄化するようにした湿式集塵機に関する。
【背景技術】
【０００２】
湿式集塵機として、従来より、例えば特許文献１に開示されているものがある。この湿式集塵機は、内方を密閉状の空気通路となされたケーシングと、このケーシング内の最下部に形成された水溜まり部と、前記ケーシング内の特定高さ位置に配置され下方に向けて霧状の水を噴射するノズルと、このノズルの下側に水平状に配置された平板状の塵埃捕集用フィルタと、塵埃や水滴などが上方（大気側）へ飛散するのを防止するため前記ノズルの上側に水平状に配置された平板状の水滴飛散防止用フィルタと、大気を前記ケーシング内の前記水溜まり部の水面へ向けて流入させ続いて上方へ流動させる空気供給手段とを備えたものとなされている。
【０００３】
この湿式集塵機の作動中に、ノズルから連続的に噴射される霧状の水が塵埃捕集用フィルタのほぼ全面に供給され、このように供給された水が該フィルタの多孔質接触材表面を流下するときに空気中の塵埃を効果的に捕捉して、該フィルタの塵埃除去作用を増大させるのである。
【０００４】
【特許文献１】特開平１１−９０１６３号公報
【発明の開示】
【発明が解決しようとする課題】
【０００５】
食品工場などでは小麦粉などの粉末材料が使用されることがあるが、この粉末材料を鍋などに投入するときにその一部が大気中に飛散する。この飛散した小麦粉などを上記した従来の湿式集塵機で除去する場合には次のような問題が生じる。
【０００６】
ノズルから噴射された水は塵埃捕集用フィルタの多孔質接触材表面を流下するさいに塵埃を洗い流してその目詰まりを防止するものの、その流量が小さいときには塵埃捕集用フィルタの目詰まりが徐々に進行し、やがては塵埃捕集用フィルタの通気度の低下が過大となる。これを防止するには、ノズルから噴射される水の流量を前記多孔質接触材の十分な洗浄作用が得られる程度に増大させる必要があるが、このように増大させたときは全体の使用水量が従来の場合に較べて大幅に増えてしまうほか、ノズルからの水噴射に要する動力消費も大きくなって不経済である。
【０００７】
また上記した従来の湿式集塵機では、水溜まり部の水の滞留時間が長くなって、その水の中に含まれる小麦粉などが腐敗し、食品衛生に悪い影響を及ぼすほか悪臭を発するなどの恐れがある。
【０００８】
本発明は、上記のような問題点に鑑みて創案されたものであって、即ち、比較的少ない量の水の使用で空気中に飛散した小麦粉などの塵埃を効果的に除去できるものとなすほか、小麦粉などの腐敗を防止できるものとした湿式集塵機を提供することを目的とする。
【課題を解決するための手段】
【０００９】
上記課題を解決するため、本発明に係る第１の湿式集塵機は、請求項１に記載したように、内方を密閉状の空気通路となされたケーシングを備え、該ケーシング内に塵埃捕集用フィルタと、該塵埃捕集用フィルタに霧状の水を噴射するノズルとを設けた湿式集塵機において、前記塵埃捕集用フィルタが縦向きの筒状体となされていることを特徴とするものである。
【００１０】
また本発明に係る第２の湿式集塵機は、請求項２に記載したように、内方を密閉状の空気通路となされたケーシングを備え、該ケーシング内に塵埃捕集用フィルタと、この塵埃捕集用フィルタの下流に位置された水滴などの水滴飛散防止用フィルタと、前記塵埃捕集用フィルタに霧状の水を噴射するノズルとを設けた湿式集塵機において、前記塵埃捕集用フィルタと前記水滴飛散防止用フィルタとが同一材料で一体状に結合され且つ縦向きの筒状体となされていることを特徴とするものである。
【００１１】
上記した第１又は第２の湿式集塵機は、次のように具体化するのがよい。
即ち、請求項３に記載したように、前記塵埃捕集用フィルタに霧状の水を噴射するための複数のノズルを前記塵埃捕集用フィルタに対し略同心の環状に配置した構成とする。
また請求項４に記載したように、前記塵埃捕集用フィルタ及びそれより上流側にある前記ケーシング内に備えてある部品が取外し可能である構成とする。
【００１２】
次に本発明に係る第３の湿式集塵機は、請求項５に記載したように、内方を密閉状の空気通路となされたケーシングを備え、該ケーシング内の特定高位置に、霧状の水を噴射される塵埃捕集用フィルタが設けられている湿式集塵機において、前記塵埃捕集用フィルタを洗浄するための洗浄水供給手段を設け、該洗浄水供給手段は洗浄水を溜めるためのタンクと、該タンク内の洗浄水を任意時に前記塵埃捕集用フィルタに向け一度に大きな流量で重力作用により流下させることを可能とした開閉機構付水路とを備えていることを特徴とするものである。
【００１３】
次に本発明に係る第４の湿式集塵機は、請求項６に記載したように、内方を密閉状の空気通路となされ該空気通路の途中に塵埃捕集用フィルタの設けられたケーシングを備え、該ケーシングの内方最下部に水溜まり部を形成された湿式集塵機において、前記水溜まり部に流下した水を外方へ流出させるための排水管を形成すると共に該排水管の長さ途中箇所を上下変位可能となしてあり、前記長さ途中箇所が上方へ変位されたときには前記排水管は前記水溜まり部の特定高さまで水が滞留した状態を維持して排水し、一方、前記長さ途中箇所が下方へ変位されたときには前記排水管は前記水溜まり部に水が滞留しない状態で排水することを特徴とするものである。
【００１４】
この発明は次のように具体化するのがよいのであって、即ち、請求項７に記載したように、前記塵埃捕集用フィルタを洗浄するために、タンク内に予め溜めた洗浄水を重力作用により比較的大きな流量で流下させて前記塵埃捕集用フィルタへ供給するものとした洗浄水供給手段を形成し、該洗浄水供給手段の開閉機構付水路の開閉作動と前記排水管の長さ途中箇所の上下変位とが連動される構成とする。
【００１５】
さらに、上記した第３又は第４の湿式集塵機は、次のように具体化するのがよいのであって、即ち、請求項８に記載したように、タンク内の洗浄水を加温するためのヒータを設けた構成とする。
【発明の効果】
【００１６】
上記した本発明によれば、次のような効果が得られる。
即ち、請求項１に記載のものによれば、筒状体を高くすることで塵埃捕集用フィルタの濾過面積を任意に確保できるため、任意な大きさの集塵能力を有する湿式集塵機について全体の平面視大きさを比較的小さくすることができるのであり、また塵埃捕集用フィルタは目詰まりを解消するために時々、洗浄水で洗浄されるが、塵埃捕集用フィルタが縦向きの筒状体であるため、タンク内に溜めた水を比較的大きな流量で流下させつつ該フィルタを洗浄するさいに該フィルタの外周囲全体に洗浄水を迅速に巡らすことができてその濾過面の目詰まりを効果的に解消させることが可能となるのであり、また塵埃捕集用フィルタが筒状体であるためこれらの位置保持構造が分解組立の行い易いものとなるほかその分解状態でケーシング内面や位置保持構造の各部品が洗浄し易いものとなるのである。
【００１７】
請求項２に記載のものによれば、塵埃捕集用フィルタと水滴飛散防止用フィルタとを一体で取り扱うことができてその脱着が容易となるほかケーシング内におけるこれらフィルタの位置保持構造が簡易となるのであり、また塵埃捕集用フィルタ及び水滴飛散防止用フィルタをケーシング内に組み付けるさいに上下の向きを考慮しなくて済むものとなる。
【００１８】
請求項３に記載のものによれば、ノズルから塵埃捕集用フィルタへ向けて噴霧された水が該フィルタの濾過面にむら無く供給されてその塵埃捕集性能を向上させることができるのであり、またノズルの先端以外を空気流中に配置しないようになすことができてノズルが空気流中に存在することに起因したノズルの汚れや空気流動抵抗の増大などを防止することができる。
【００１９】
請求項４に記載のものによれば、ケーシング内部の掃除が容易に行えるものとなる。
【００２０】
請求項５に記載のものによれば、洗浄水供給手段を形成したためノズルから噴霧される水によって塵埃捕集用フィルタを洗浄する必要がなくなり、ノズルからは塵埃の捕集に必要な最低限の流量での噴霧を行えばよいため、ノズルから噴射される水の量を小さく抑えることができるのであり、また洗浄水供給手段は一度に大きな流量でタンク内の洗浄水を流下させて塵埃捕集用フィルタへ供給し得ることから、比較的低圧の洗浄水でも塵埃捕集用フィルタの濾過面の広い範囲を迅速且つ効果的に洗浄することが可能となるのであり、また洗浄水供給手段は一時的にのみ多量の水を供給するだけであることから、ノズル及び洗浄水供給手段の双方で使用される全体的な水量はノズルからの噴霧のみで同等の作用を得る場合に較べて大幅に抑制されるのであって、具体的にはノズルのみからの噴霧による場合に１７リットル／ｍｉｎ／ｍ２程度を必要とするのに対し、９リットル／ｍｉｎ／ｍ２程度で済むようになるのである。また洗浄水供給手段からは一時的に多量の洗浄水が塵埃捕集用フィルタへ向けて供給されるため、洗浄水がケーシング内の広い範囲を従来よりも効果的に洗浄するものとなる。
さらには簡易な構造により、比較的多くの洗浄水を比較的大きな流量で任意時に塵埃捕集用フィルタに供給することができて、該フィルタの濾過面の目詰まりを効果的に解消させることができる。
【００２１】
請求項６に記載のものによれば、水溜まり部の特定高さまで水を溜める状態と、水溜まり部に水を溜めない状態との切換が排水管の長さ途中箇所の上下変位で簡便に行えるのであり、また水溜まり部に溜まった水が排水管を通じた空気流動を阻止する水封作用を奏するものとなって排水管からケーシング内の負圧空間へ大気が流入するのを阻止するものとなり、また排水管の内方にこれによる排水状態を変化させるための弁機構を設ける必要がないため排水管の排水性能を良好に維持させることができるのであり、また水溜まり部に水が溜まった状態と、水溜まり部に水が溜まらない状態の何れの状態であってもケーシング内に水が供給される限り排水管からは水とこれに混入した塵埃が絶えず排出されるため塵埃が水溜まり部に長期にわたって滞留して腐敗するような事態は発生しないものとなるのであり、さらには水溜まり部に水が溜まった状態と、水溜まり部に水が溜まらない状態とを切り換えることにより水溜まり部の水の流速を大きく変化させることができて水溜まり部の内面の洗浄を効果的に行うことができるのであり、これも塵埃の腐敗などを阻止する上で寄与するものとなる。
【００２２】
請求項７に記載のものによれば、洗浄水供給手段が存在することによる既述の効果が得られる上に次のような効果が得られるのであって、即ち、塵埃捕集用フィルタの洗浄にさいして開閉機構付水路の開閉作動か或いは排水管の長さ途中箇所の上下変位の何れか一方を行わせることで済むものとなって操作が容易となるのであり、また塵埃捕集用フィルタを洗浄するとき洗浄水が排水管を通じて円滑に排水されるため水溜まり部に過大な量となって溜まるような事態の発生しないものとなるのであり、また開閉機構付水路の開閉と排水管の長さ途中箇所の上下変位とを同一の駆動手段により行わせることが可能となって駆動手段の構造が簡易となる。
【００２３】
請求項８に記載のものによれば洗浄水を温水となして効果的な洗浄が行えるのであり、また洗浄水供給手段による洗浄は時々行えばよいことから、洗浄水の加温に数時間をかけても差し支えないものとなり、したがってヒータは例えば１００ボルト電源で作動するような比較的小さい加温能力の安価なもので済むものとなる。なお、ノズルからの噴霧により塵埃捕集用フィルタを洗浄する場合にはノズル用の水供給管内を流れている水をヒータで特定温度に迅速に加温することが必要となって、比較的大きな容量のヒータを設けなければならず、不経済となるのである。
【発明を実施するための最良の形態】
【００２４】
以下、本発明の実施の形態を図面により説明する。
図１は本発明に係る湿式集塵機の全体を示し一部が開放された状態の斜視図、図２は前記湿式集塵機の全体を示しケーシング内の各部材が外方へ取り出された状態を示す斜視図、図３は前記湿式集塵機の断面図、図４は前記ケーシングを部分的に切断した状態を示す斜視図、図５は前記ケーシング内の筒型フィルタ周辺を示す断面図、図６は前記湿式集塵機の一部を切除して洗浄水供給手段などを示す斜視図、図７は前記湿式集塵機の一部を切除して洗浄水供給手段や排水状況変更手段などを示す後面図、図８は前記洗浄水供給手段を前とは異なる方向から見た斜視図、図９は前記湿式集塵機の一部を切除して排水状況変更手段などを示した側面図、図１０は前記湿式集塵機の使用例を示す説明図、図１１は前記湿式集塵機の作動を示す断面視説明図、図１２は前記湿式集塵機を切除して洗浄水供給手段の作動を示す説明図、図１３は前記湿式集塵機の排水管の変形例を示す斜視図、図１４は前記湿式集塵機の筒型フィルタ周辺構造の変形例を示す断面図、図１５は前記湿式集塵機のフィルタ受け周辺構造の変形例を示す断面図である。
【００２５】
図１〜図３において、１は本体部をなす箱形のケーシングであって、高さが床面から凡そ８００ｍｍ〜３０００ｍｍ程度、左右巾及び前後巾が凡そ４００ｍｍ〜２０００ｍｍ程度となされ、内方が密閉状の空気通路となされており、具体的には、四周囲及び上下面を平板で囲まれ、前面１ａ下部に前方へ張り出した傾斜面部ａ１を備え、該傾斜面部ａ１に内外を連通させる空気吸引筒２を斜め下後方へ向かうように固着され、上面１ｂに空気を流出させるための透孔ａ２を形成されるほか、下面１ｃを前下がり状となされ、この下面１ｃの最下部から内外を連通させた排水口部材３が後方へ延出されたものとなされている。
【００２６】
このさい、右側面１ｄには比較的大きな開閉可能部ａ３が形成されており、この開閉可能部ａ３は四角形の開口ｂ１と、この開口ｂ１を覆った状態でネジ止めされる蓋板ｂ２からなっている。図４にも示すように四周囲の内面で傾斜面部ａ１の上端高さ近傍位置に断面半円形状の突条部ｃ１が水平状に形成されており、また少なくとも前面１ａ及び後面１ｅの内面で突条部ｃ１から凡そ２００ｍｍ〜４００ｍｍ程度高い位置に係止用帯板ｃ２が水平状に固着されており、ケーシング１全体は脚部４で支持されている。
【００２７】
ケーシング１の上面１ｂには透孔ａ２を通じてケーシング１内の空気などを外方へ流出させるための排気ファン５が固定されており、また排水口部材２からは撓曲可能な排水管６が延出されている。
【００２８】
７はフィルタ受けで、開口ｂ１からケーシング１内に挿入され突条部ｃ１に支持されるものである。このフィルタ受け７は突条部ｃ１を介し外周縁部７ａがケーシング１の四周囲の内面に気密状に接合した状態となるもので、中央位置に比較的細巾の下側テーパ面部７ｂと、比較的広巾の上側テーパ面部７ｃを同心状且つ連続状に形成されると共に上側テーパ面部７ｃに、霧状の水ｗ２を該テーパ面部７ｂ中心Ｏ１の上方へ向け傾斜状に噴射するものとした複数（図示例では６個）のノズル８が周方向の等間隔配列に固定されたものとなされている。
【００２９】
９は全体形状が直状の筒状体となされた筒型フィルタで、フィルタ受け７の上側テーパ面部７ｃの上面に同心状に載置される。この筒型フィルタ９は、図５に示すように下部が塵埃捕集用フィルタ９ａとして機能し、上部が水滴飛散防止フィルタ９ｂとして機能するものであり、微細繊維を結合させて多孔質状となしたもの或いは素材そのものが多孔質状であるものの何れであってもよいのであり、さらには金網、パンチングメタル、エキスパンドメタルなどの金属製積層体などでもよい。図示例の筒型フィルタ９は全体が一体状の直円筒形となされ、上下端部を半径外方へ張り出させた態様の環状当接部ｄ１、ｄ２となされ、全体が均質で若干の弾性を有するものとなされている。このさい、直円筒形に代えて、断面が多角形である多角柱形状となすことも差し支えない。
【００３０】
１０は筒型フィルタ９内に圧密状に挿入されるフィルタリテーナで、複数の縦向きの棒状部材１１を筒状の等間隔に配列し、これら棒状部材１１の上下端のそれぞれに円環部材１２ａ、１２ｂを固着すると共に、これら棒状部材１１の長さ中央位置の内方側に水平状の円板部材１３を固着したものとなされている。
【００３１】
１４はフィルタ押さえで、開口ｂ１からケーシング１内に挿入されて係止用帯板ｃ２に支持された状態となされ必要に応じネジ止めされるものである。このフィルタ押さえ１４は係止用帯板ｃ２を介して外周縁部１４ａがケーシング１の四周囲の内面に密状に接合した状態となるもので、中央位置に円形孔ｅ１を形成されると共に細巾円筒部１４ｂを円形孔ｅ１の外周縁に添って下方への張り出し状に形成されたものとなされている。このさい、細巾円筒部１４ｂは図５などに示すようにフィルタ押さえ１４が筒型フィルタ９を押さえた状態の下で、フィルタリテーナ１０の上部内方に嵌挿された状態となり、筒型フィルタ９の上部を位置決めする上で寄与するものである。
【００３２】
１５は塵埃捕集用フィルタ９ａを洗浄するため洗浄水ｗを塵埃捕集用フィルタ９ａへ供給するための洗浄水供給手段である。この洗浄水供給手段１５は、洗浄水ｗを溜めるためのタンク１６と、タンク１６内に予め溜めた洗浄水ｗを重力作用により比較的大きな流量で塵埃捕集用フィルタ９ａへ向け任意時に流下させることを可能とした開閉機構付水路１７とを備えている。
【００３３】
タンク１６はケーシング１の後面１ｅ上部に固定されており、図６に示すように、１０リットル〜２０リットル程度の洗浄水（水道水など）ｗが収容される大きさとなされると共にこれに収容された洗浄水ｗを予め設定操作された一定温度に加温するための電気ヒータ１８を設けたものとなされており、また開閉機構付水路１７はタンク１６の底部に形成された円孔ｇ１と、筒型フィルタ９の一部である塵埃捕集用フィルタ９ａの外周囲を取り巻く密閉状空間１９の周壁をなすケーシング１後面１ｅに形成された円孔ｇ２とを管部材２０で連通させると共に、円孔ｇ１の存在箇所に水路開閉機構２１を形成したものとなされている。なお、タンク１６の設置場所はケーシング１の上面１ｂ上であってもよい。
【００３４】
水路開閉機構２１は任意なもので差し支えないが、この実施例では図７及び図８にも示すように、水ｗに浮かない重量となされ且つ上下動により円孔ｇ１を開閉させるものとなされた球体状のタンク栓２２と、このタンク栓２２の上下動を案内し通水孔ｈ１の形成された周壁部２３ａを有する案内筒部材２３と、タンク栓２２を上下変位させる駆動手段２４とを備えたものとなされている。このさい、駆動手段２４はケーシング１に固定されたシリンダ装置２５の出力部材２５ａからワイヤ２６を上方へ延出させ、次にこのワイヤ２６をタンク１６などに固定された案内管２７を通じて案内筒部材２３の真上に導いた後、さらに下方へ導いてこれの先端をタンク栓２２に繋着させ、出力部材２５ａが下方へ変位されたときタンク栓２２が上昇されて円孔ｇ１が開放され、逆に出力部材２５ａが上方へ変位されたときタンク栓２２が下降されて円孔ｇ１が液密状に閉鎖される構成となされる。シリンダ装置２５の駆動源は空気圧、水圧、電気の何れでも良く、又シリンダ装置の代わりに手動のレバーなどを用いても良い。なお、他の水路開閉機構２１として、例えばボールバルブ、バタフライバルブ又はゲートバルブなどの弁体を使用した機構となすことも差し支えない。
【００３５】
ケーシング１の内方最下部は水溜まり部ｊ１として機能するものとなされており、この水溜まり部ｊ１における水溜まり状況を変更するために排水状況変更手段２８が形成されている。この水溜まり状況変更手段は、図７及び図９にも示すように、出力部材２５ａから垂下させたワイヤ２９の先端を排水管６の長さ途中箇所６ａに掛け止め、出力部材２５ａが上方へ変位されたとき、排水管６の長さ途中箇所６ａが上昇されて、排水管６によるＵ字形トラップｋが形成され、ケーシング１内の上方から水溜まり部ｊ１に流下した水ｗが特定液面ｗ１高さを超えたときにこの超えた分の水ｗが排水管６を通じて外方へ円滑に流出する状態となり、逆に出力部材２５ａが下方へ変位されたとき、排水管６の長さ途中箇所６ａが図９に仮想線で示すように下降されて、水溜まり部ｊ１に流下した水ｗが水溜まり部ｊ１に溜まることなく排水管６を通じて全て円滑に流出する状態となる構成となされている。
【００３６】
上記構成において、ノズル８には水道管又はポンプから図示しない通水管を通じて０．１〜０．３ＭＰａ程度の圧力の水ｗが任意時に供給される、またタンク１６には水道水ｗなどが任意時に供給され、また電気ヒータ１８には１００ボルトの電力が供給される。
【００３７】
次に上記した湿式集塵機を食品製造工場などの塵埃発生源に使用する場合の使用例及び各部の作用について説明する。
食品製造工場などには、図１０に示すように鍋などの塵埃発生源ｍが存在しているが、この場合には塵埃発生源ｍの外周囲をフードｎで囲い、このフードｎの空気吸引口箇所ｎ１と本発明に係る湿式集塵機Ａ１の空気吸引筒２をダクトｓで気密状に連通させた状態とする。このさい必要に応じて、湿式集塵機Ａ１の吸引ファン５の周囲を付加ケーシング３０で気密状に覆い、この付加ケーシング３０の上面に形成された空気出口３０ａに機能性フィルタ（ＨＥＰＡフィルタ、活性炭フィルタ又は光触媒フィルタなど）３１を装着する。
【００３８】
この状態の下で、図示しない操作盤のスイッチを操作して、吸引ファン５を作動させ、ノズル８から霧状の水ｗ２を連続的に噴射させるほか、水道からタンク１６内に洗浄水ｗが供給され得る状態とする。これにより、フード２内の空気は吸引ファン５の吸引力でダクトｓ及び空気吸引筒２を通じて図３中の矢印ｖ１で示すようにケーシング１内の下部に流入し、その後、塵埃捕集用フィルタ９ａを矢印ｖ２で示すように通過してこのフィルタ９ａを取り巻く密閉状空間１９内に流入し、次に水滴飛散防止用フィルタ９ｂを透過して矢印ｖ３で示すように上方へ流動し、さらに吸引ファン５を経て図１０に示す最終の機能性フィルタ３１を透過して大気へ排出される。一方では、各ノズル８から霧状の水ｗ２が噴射され、この水ｗ２が筒型フィルタ９上を流下して水溜まり部ｊ１に達し、ここで特定液面ｗ１高さまで溜まり、特定液面ｗ１高さを超えた分が図９に実線で示す状態の排水管６を経て外方へ排水される。またタンク１６には水ｗが自動的に特定高さまで供給されると共に電気ヒータ１８で適当に加温される。
【００３９】
このような状況の下で、作業者はフードｎの開閉蓋ｎ２を開放して小麦粉などの粉体を塵埃発生源ｍである鍋などに投入する作業を必要に応じて繰り返す。鍋ｍなどに投入される粉体はその一部が空気中に飛散するのであり、このように飛散した粉体などからなる塵埃及び鍋から発生する湯気などとは一緒に吸引ファン５の吸引力によりフードｎの開放された開口箇所ｎ３からフードｎ内に流入する大気と一緒にダクトｓ及び空気吸引筒２を通じてケーシング１の内方に吸引される。
【００４０】
こうして吸引された空気などは先ず液溜まり部ｊ１内の溜まり水ｗの液面ｗ１に向かい、このさい比較的大きな質量の塵埃は液面ｗ１に衝突して捕捉され空気中から除去されるのであり、次に上方へ向かい続いて横方へ向きを変えて塵埃捕集用フィルタ９ａを透過するのであり、このさい各ノズル８から噴射される霧状の水ｗ２が空気中の塵埃に接触することにより比較的少ない量の塵埃を捕捉すると共に、塵埃捕集用フィルタ９ａの多孔質接触材やノズル８から噴射されて該多孔質接触材上を流下する水ｗが、水ｗの塵埃捕捉作用や多孔質接触材の濾過作用により、空気中の塵埃を除去する。
【００４１】
塵埃捕集用フィルタ９ａを透過した空気などは、密閉状空間１９内を上方へ向かった後、水滴飛散防止用フィルタ９ｂを透過するのであり、このさい水滴飛散防止用フィルタ９ｂの多孔質接触材がその濾過作用により空気中の微細な水滴などを捕捉するのであり、こうして捕捉された水滴は徐々に蓄積されて水滴飛散防止用フィルタ９ｂの多孔質接触材表面上を流下し塵埃捕集用フィルタ９ａ上を経てさらに下方へ流下する。水滴飛散防止用フィルタ９ｂを透過した空気は塵埃や水分を除去されて浄化された状態となっており、この空気が吸引ファン５及び最終の機能性フィルタ３１を経て大気に流出される。このさい、機能性フィルタ３１は残存した極微量の塵埃や臭気成分を除去するものであり、要求される空気の清浄度に応じ必要により設けられる。
【００４２】
上記のような湿式集塵機Ａ１の運転状態の下で空気中から除去された小麦粉などの粉体などからなる塵埃は水ｗと一緒に水溜まり部ｊ１へ流下し、特定液面ｗ１高さを超えた水ｗと一緒に排水管６を通じて絶えず外方へ流出されるのであり、したがって塵埃がケーシング１内に長期間に亘って滞ることは防止され、小麦粉などの塵埃がケーシング１内で腐敗することはない。
【００４３】
また塵埃捕集用フィルタ９ａによる塵埃除去作動が連続して長く行われると、塵埃捕集用フィルタ９ａの目詰まりが進行してその通気度が低下するようになるので、数時間のその連続使用の後には、図示しない操作盤のスイッチ操作により、吸引ファン５の空気吸引作動やノズル８からの水噴射作動を停止させた後、シリンダ装置２５を短縮作動させて出力部材２５ａを下方変位させる。この下方変位はワイヤ２６を介しタンク栓２２を上昇させて円孔ｇ１を開放させると共に、これに連動してワイヤ２９を介し排水管６の長さ途中箇所６ａを下降させる。
【００４４】
タンク栓２２による円孔ｇ１開放作動は図１１に矢印ｖ４で示すようにタンク１６内の洗浄水ｗを重力作用により比較的大きな流量で数秒のうちにケーシング１内の密閉状空間１９内に流下させる。このように流下された洗浄水ｗは密閉状空間１９内で図１２に矢印ｖ５で示すように塵埃捕集用フィルタ９ａへ向かうように流動し、この後、該フィルタ９ａが縦向きの筒状体であることから該フィルタ９ａの全外周囲に矢印ｖ６で示すように素早く回りこみ該フィルタ９ａのほぼ全高に及ぶように密閉状空間１９内に満たされる。このように満たされた洗浄水ｗは塵埃捕集用フィルタ９ａのほぼ全外周面からその中心側へ透過するように流動するのであり、これにより塵埃捕集用フィルタ９ａに付着してその目詰まりを進行させている塵埃は洗浄水ｗにより空気流動方向の逆向きへ押されて塵埃捕集用フィルタ９ａの多孔質接触材から効果的に分離され、塵埃捕集用フィルタ９ａは短時間のうちにその通気度を回復される。
【００４５】
一方、排水管６の長さ途中箇所６ａの下降変位は水溜まり部ｊ１に水溜まりができないようにケーシング１内の水ｗが外方へ流出する状態となすのであり、したがってタンク１６内の洗浄水ｗが流下されて比較的大きな流量で水溜まり部ｊ１内に流下してきても、この洗浄水ｗはその液面高さが過大となることなく円滑に外方へ排水される。このときの水溜まり部ｊ１内の排水の流速は大幅に大きくなるため塵埃が水溜まり部ｊ１に沈殿し堆積しようとしていても、この塵埃を強制的に確実に洗い流す上で寄与する。
【００４６】
なお、ノズル８から噴霧される水ｗ２、及び又は、タンク１６内の洗浄水ｗに機能液を混入させる手段を形成すると、洗浄力増進作用などの種々の付加的作用が得られるのであり、このさいの機能液としては例えば洗剤液、消毒液、殺菌液、防腐剤、防濁剤、消臭剤、防臭剤、芳香剤などがある。
【００４７】
また筒型フィルタ９の目詰まりが過度に進行するなどしてこれを他所で再生処理したり或いは新替するときや、ケーシング１の内部の保守管理を行うときなどには、先ず蓋板ｂ２を取り外し、次にフィルタ押さえ１４を帯板部材ｃ２上面から分離させて開口ｂ１から外方へ引き出し、次にフィルタリテーナ１０の装着された状態の筒型フィルタ９を引き出し、最後にノズル８の固定された状態のフィルタ受け７を引き出すようにする。一方、これら各部を復旧させるときは上記手順の逆を行う。このさい、フィルタ押さえ１４と筒型フィルタ９はネジ結合されておらず、また筒型フィルタ９とフィルタ受け７もネジ結合されておらず、またフィルタ受け７とケーシング１もネジ結合されていないため、各部材７、９、１４は極めて簡便に脱着されるのである。
【００４８】
上記した各部材７、９、１４を取り外した後のケーシング１内は殆ど空状態となりまた、ネジ穴などの洗浄困難な部分が存在しないため掃除などの行い易い状態となるのであり、また各部材７、９、１０、１４も簡易な形態となっているためこれらの個別の洗浄も容易に行えるのである。
【００４９】
上記実施例は次のように変形できる。
即ち、排水管６を剛性管となし、図１３に示すようにその長さ途中箇所６ａをＵ字形部となして該Ｕ字形部６ａをこれの両端側に位置した排水管６、６部分に相対回転自在の水密状且つ連通状に接続し、Ｕ字形部６ａがこれの両側の排水管６、６の中心線回りへ凡そ９０度程度回動自在となし、出力部材２５ａが上方へ変位したときＵ字形部６ａがワイヤ２９を介して図１３Ａに示すように上方へ移動し、逆に出力部材２５ａが下方へ変位したときＵ字形部６ａがワイヤ２９を介して図１３Ｂに示すように下方へ移動する構成とする。
【００５０】
また筒型フィルタ９の周辺構造を図１４に示すような構造となすことも差し支えない。  図１４において上記実施例に相当する部材には同一符号が付してある。筒型フィルタ９Ａは上記実施例の筒型フィルタ９よりも細長いものとなされており、また円板１３及びノズル８は複数段（３段）に設けられると共に、筒型フィルタ９Ａの外周面の外側には密閉状空間１９を形成するための板部材３２が設けられている。密閉状空間１９内には各段の円板１３及びノズル８に対応させて中間仕切り板３３が固設されており、複数（３個）の分割密閉状空間１９ａ、１９ｂ、１９ｃが形成されている。そして図示省略してあるが、先の例に準じて各分割密閉状空間１９ａ、１９ｂ、１９ｃの外方となる板部材３２箇所のそれぞれに円孔ｇ１を設け、タンク１６内の洗浄水ｗが各分割密閉空間内に同時に或いは個別に流下するようになされる。このようにすれば、塵埃捕集用フィルタ９ａ及び水滴飛散防止用フィルタ９ｂによる浄化処理が同一気流に対し直列に複数回（３回）繰り返されるため、空気浄化が一層促進される。また各分割密閉状空間１９ａ、１９ｂ、１９ｃごとに上記洗浄水供給手段１５を形成することにより、各段ごとの筒型フィルタ９Ａ部分である塵埃捕集用フィルタ９ａ及び水滴飛散防止用フィルタ９ｂが個別に洗浄されるものとなる。
【００５１】
さらには、フィルタ受け７周辺構造を図１５に示すようなものとなす。即ち、下側テーパ面部７ｂの外側と、上側テーパ面部７ｃの下側とを密閉状に包囲して環状密閉空間ｈ３を形成する包囲環状板３４を付加し、各ノズル８の水流入孔が環状密閉空間ｈ３内に開放された状態となし、一方では包囲環状板３４の周方向特定位置にその半径外方向へ向け延出された水供給用短管３５を設けたものとなす。このフィルタ受け７も先の実施例の場合と同様にケーシング１に対し簡便に脱着されるものとなす。
【００５２】
このさい、水供給用短管３５と正対したケーシング１個所には透孔ｈ２が設けられており、該透孔ｈ２を通じて水供給用短管３５の先端開口にジョイント具を固定し、このジョイント具により、水道管又はポンプから水を圧送される通水管を水供給用短管３５に連通状に接続させる。
【００５３】
これにより各ノズル８に水ｗを供給するための水供給路構造が形成されたのであり、この水供給路構造は、水供給用短管３５からジョイント具を外すだけでフィルタ受け７がケーシング１から自由に分離されるほか、ケーシング１内における空気流通を妨げないものとなる。
【図面の簡単な説明】
【００５４】
【図１】本発明に係る湿式集塵機の全体を示し一部が開放された状態の斜視図である。
【図２】前記湿式集塵機の全体を示しケーシング内の各部材が外方へ取り出された状態を示す斜視図である。
【図３】前記湿式集塵機の断面図である。
【図４】前記ケーシングを部分的に切断した状態を示す斜視図である。
【図５】前記ケーシング内の筒型フィルタ周辺を示す断面図である。
【図６】前記湿式集塵機の一部を切除して洗浄水供給手段などを示す斜視図である。
【図７】前記湿式集塵機の一部を切除して洗浄水供給手段や排水状況変更手段などを示す後面図である。
【図８】前記洗浄水供給手段を前とは異なる方向から見た斜視図である。
【図９】前記湿式集塵機の一部を切除して排水状況変更手段などを示した側面図である。
【図１０】前記湿式集塵機の使用例を示す説明図である。
【図１１】前記湿式集塵機の作動を示す断面視説明図である。
【図１２】前記湿式集塵機を切除して洗浄水供給手段の作動を示す説明図である。
【図１３】前記湿式集塵機の排水管を示す斜視図である。
【図１４】前記湿式集塵機の筒型フィルタ周辺構造の変形例を示す断面図である。
【図１５】前記湿式集塵機のフィルタ受け周辺構造の変形例を示す断面図である。
【符号の説明】
【００５５】
Ａ１  湿式集塵機
１  ケーシング
６  排水管
６ａ  長さ途中箇所
８  ノズル
９ａ  塵埃捕集用フィルタ
９ｂ  水滴飛散防止用フィルタ
１５  洗浄水供給手段
１６  タンク
１７  開閉機構付水路
１８  ヒータ
ｊ１  水溜まり部
ｗ  洗浄水（水）
ｗ２  霧状の水
【図１】
2008119583.tif 000003
【図２】
2008119583.tif 000004
【図３】
2008119583.tif 000005
【図４】
2008119583.tif 000006
【図５】
2008119583.tif 000007
【図６】
2008119583.tif 000008
【図７】
2008119583.tif 000009
【図８】
2008119583.tif 000010
【図９】
2008119583.tif 000011
【図１０】
2008119583.tif 000012
【図１１】
2008119583.tif 000013
【図１２】
2008119583.tif 000014
【図１３】
2008119583.tif 000015
【図１４】
2008119583.tif 000016
【図１５】
2008119583.tif 000017